(57)【要約】【課題】４色以上のサブ画素で画素を構成しても、画素の開口率の低下を防ぐとともに、高精細な表示が可能な電気光学装置を提供すること。【解決手段】電気光学装置１は、複数の画素Ｐからなる表示領域Ａを有し、複数の画素Ｐは、それぞれ、互いに異なる単一色を表示する複数のサブ画素５０で構成され、サブ画素５０は、走査線１０、データ線２０、画素電極５５、および画素トランジスタ５１を有する。画素Ｐは、それぞれ、サブ画素５０がデータ線２０の延出する方向に２行配置されかつ走査線１０の延出する方向に２列配置されて構成される。また、電気光学装置１は、データ線２０を駆動するデータ線駆動回路２１を備え、データ線駆動回路２１は、複数の出力端子の中から選択された出力端子を入力端子に接続することにより、時分割信号として供給される画像信号をデータ線２０に振り分けるデマルチプレクサ単位回路Ｍを備える。【選択図】図１
2007206392.tif 000002
【特許請求の範囲】
【請求項１】
複数の画素からなる表示領域を有し、前記複数の画素は、それぞれ、互いに異なる単一色を表示する複数のサブ画素で構成され、前記サブ画素は、走査線と、データ線と、前記走査線と前記データ線の交差に対応して設けられた画素電極およびスイッチング素子と、を有する電気光学装置であって、
前記複数の画素は、それぞれ、前記サブ画素が前記データ線の延出する方向に２行以上かつ前記走査線の延出する方向に２列以上配置されて構成され、
前記データ線を駆動するデータ線駆動回路を備え、
前記データ線駆動回路は、１つの入力端子に対して複数の出力端子を有し、当該複数の出力端子の中から選択された出力端子を前記入力端子に接続することにより、時分割信号として供給される画像信号を前記データ線に振り分けるデマルチプレクサを備えることを特徴とする電気光学装置。
【請求項２】
請求項１に記載の電気光学装置において、
前記複数の画素は、それぞれ、前記サブ画素が前記走査線の延出する方向に２列配置されて構成され、
前記走査線を順次選択する走査信号を供給する走査線駆動回路を備え、
当該走査線駆動回路は、サブ画素を走査線の延出する方向に１列配置して複数の画素のそれぞれを構成した場合に比べて、２倍のデューティ比で走査信号を供給することを特徴とする電気光学装置。
【請求項３】
請求項２に記載の電気光学装置において、
前記走査線駆動回路は、１２０Ｈｚで走査信号を供給することを特徴とする電気光学装置。
【請求項４】
複数の画素からなる表示領域を有し、前記複数の画素は、それぞれ、互いに異なる単一色を表示する複数のサブ画素で構成され、前記サブ画素は、走査線と、データ線と、前記走査線と前記データ線の交差に対応して設けられた画素電極およびスイッチング素子と、を有する電気光学装置の駆動方法であって、
前記複数の画素を、それぞれ、前記サブ画素を前記データ線の延出する方向に２行以上、前記走査線の延出する方向に２列以上配置して構成し、
前記走査線の延出する方向に配置された２列のサブ画素のうち、一方の列を第１サブ画素群とし、他方の列を第２サブ画素群とし、
前記走査線に走査信号を供給して、前記第１サブ画素群に係るスイッチング素子を導通状態にして、この状態で、前記データ線に画像信号を供給して、前記第１サブ画素群に係る画素電極に書き込む第１サブ画素群書込手順と、
前記走査線に走査信号を供給して、前記第２サブ画素群に係るスイッチング素子を導通状態にして、この状態で、前記データ線に画像信号を供給して、前記第２サブ画素群に係る画素電極に書き込む第２サブ画素群書込手順と、
を備えることを特徴とする電気光学装置の駆動方法。
【請求項５】
請求項４に記載の電気光学装置の駆動方法において、
前記複数の画素を、それぞれ、前記サブ画素を前記走査線の延出する方向に２列配置して構成し、
前記第１サブ画素群書込手順および前記第２サブ画素群書込手順では、サブ画素を走査線の延出する方向に１列配置して複数の画素のそれぞれを構成した場合に比べて、２倍のデューティ比で走査信号を供給することを特徴とする電気光学装置の駆動方法。
【請求項６】
請求項１に記載の電気光学装置を備えることを特徴とする電子機器。
【発明の詳細な説明】
【技術分野】
【０００１】
本発明は、例えば、液晶表示装置などの電気光学装置、電気光学装置の駆動方法、および電子機器に関する。
【背景技術】
【０００２】
従来より、液晶表示装置等の電気光学装置が知られている。この電気光学装置は、例えば、第１の基板と、この第１の基板に対向して設けられた第２の基板と、第１の基板と第２の基板との間に設けられた液晶と、第１の基板の第２の基板とは反対側に設けられたバックライトと、を備える。
第１の基板は、複数の走査線およびコモン線、複数のデータ線、ならびに、走査線およびデータ線の交差に対応して設けられた複数の画素トランジスタおよび画素電極を有する。また、第２の基板の第１の基板側には、共通電極が設けられている。
さらに、第１の基板には、走査線を駆動する走査線駆動回路と、データ線を駆動するデータ線駆動回路と、コモン線を駆動するコモン線駆動回路と、が設けられている。
【０００３】
以上のような電気光学装置では、例えば、第２の基板の第１基板側には、複数の画素からなる表示領域が形成されている。各画素は、互いに異なる単一色を表示する複数のサブ画素で構成される。具体的には、各画素は、例えば、赤色、緑色、青色の３色を表示するサブ画素で構成される。
しかしながら、近年、色再現性の向上が要請されており、各画素を、赤色、緑色、青色の３色を表示するサブ画素に加えて、シアンやイエローなどの他の色を表示するサブ画素を設ける構成が提案されている（特許文献１参照）。この特許文献１では、これらサブ画素は、例えば、走査線の延出する方向に、一直線状つまりストライプ状に配列される。
【０００４】
また、データ線駆動回路は、例えば、複数のデマルチプレクサを含んで構成される。各デマルチプレクサは、１つの入力端子および複数の出力端子を有し、スイッチング素子により、これら複数の出力端子を順に選択して入力端子に接続する。これにより、デマルチプレクサは、信号源から時分割信号として供給される画像信号を、データ線に振り分ける。
【特許文献１】特開２００５−２３４１３３号公報
【発明の開示】
【発明が解決しようとする課題】
【０００５】
ところで、特許文献１の電気光学装置のように、３色のサブ画素に１色追加して４色のサブ画素で画素を構成する場合、従来の３色のサブ画素で画素を構成した場合と同様の精細度を確保するため、走査線方向に配置される画素数を維持する必要がある。そのため、３色のサブ画素で画素を構成した場合に比べて、走査線方向のサブ画素数を４／３倍に増加すること、つまり、各サブ画素の走査線方向の寸法を３／４倍に縮小することが必要となる。
【０００６】
しかしながら、特許文献１の電気光学装置では、ストライプ状にサブ画素を配置するため、各画素につき４本のデータ線が配置されることになる。そのため、各サブ画素の走査線方向の寸法を３／４倍に縮小しようとしても、現実には、画素トランジスタのレイアウトの問題が生じるうえに、データ線の狭線幅化やデマルチプレクサの小型化に限界があるため、実現困難であった。その結果、高精細な表示が困難になるおそれがあった。
また、各サブ画素の走査線方向の寸法を、３色のサブ画素で画素を構成した場合に比べて３／４倍に縮小すると、画素の開口率が低下するおそれがあった。
【０００７】
本発明は、４色以上のサブ画素で画素を構成しても、画素の開口率の低下を防ぐとともに、高精細な表示が可能な電気光学装置、電気光学装置の駆動方法、および電子機器を提供することを目的とする。
【課題を解決するための手段】
【０００８】
本発明の電気光学装置は、複数の画素からなる表示領域を有し、前記複数の画素は、それぞれ、互いに異なる単一色を表示する複数のサブ画素で構成され、前記サブ画素は、走査線と、データ線と、前記走査線と前記データ線の交差に対応して設けられた画素電極およびスイッチング素子と、を有する電気光学装置であって、前記複数の画素は、それぞれ、前記サブ画素が前記データ線の延出する方向に２行以上かつ前記走査線の延出する方向に２列以上配置されて構成され、前記データ線を駆動するデータ線駆動回路を備え、前記データ線駆動回路は、１つの入力端子に対して複数の出力端子を有し、当該複数の出力端子の中から選択された出力端子を前記入力端子に接続することにより、時分割信号として供給される画像信号を前記データ線に振り分けるデマルチプレクサを備えることを特徴とする。
【０００９】
この発明によれば、サブ画素を、データ線の延出する方向に２行以上配置するとともに走査線の延出する方向に２列以上配置することで、各画素を構成した。したがって、４色以上のサブ画素で画素を構成しても、従来のようにサブ画素をストライプ状に配置した場合に比べ、走査線の延出する方向に配置されるサブ画素の数が増えるのを防止できる。そのため、スイッチング素子のレイアウトの問題が生じないうえに、データ線の線幅を狭くしたり、デマルチプレクサを小型化したりする必要がないから、画素の開口率の低下を防いで、高精細な表示を実現できる。
【００１０】
本発明の電気光学装置では、前記複数の画素は、それぞれ、前記サブ画素が前記走査線の延出する方向に２列配置されて構成され、前記走査線を順次選択する走査信号を供給する走査線駆動回路を備え、当該走査線駆動回路は、サブ画素を走査線の延出する方向に１列配置して複数の画素のそれぞれを構成した場合に比べて、２倍のデューティ比で走査信号を供給することが好ましい。
【００１１】
この発明によれば、サブ画素を２列に配置し、従来のようにサブ画素をストライプ状に配置した場合に比べて、走査信号のデューティ比を２倍にした。これは、１画素あたりの走査線本数が従来の２倍になるためである。
【００１２】
本発明の電気光学装置では、前記走査線駆動回路は、１２０Ｈｚで走査信号を供給することが好ましい。
【００１３】
本発明の電気光学装置の駆動方法は、複数の画素からなる表示領域を有し、前記複数の画素は、それぞれ、互いに異なる単一色を表示する複数のサブ画素で構成され、前記サブ画素は、走査線と、データ線と、前記走査線と前記データ線の交差に対応して設けられた画素電極およびスイッチング素子と、を有する電気光学装置の駆動方法であって、前記複数の画素を、それぞれ、前記サブ画素を前記データ線の延出する方向に２行以上、前記走査線の延出する方向に２列以上配置して構成し、前記走査線の延出する方向に配置された２列のサブ画素のうち、一方の列を第１サブ画素群とし、他方の列を第２サブ画素群とし、前記走査線に走査信号を供給して、前記第１サブ画素群に係るスイッチング素子を導通状態にして、この状態で、前記データ線に画像信号を供給して、前記第１サブ画素群に係る画素電極に書き込む第１サブ画素群書込手順と、前記走査線に走査信号を供給して、前記第２サブ画素群に係るスイッチング素子を導通状態にして、この状態で、前記データ線に画像信号を供給して、前記第２サブ画素群に係る画素電極に書き込む第２サブ画素群書込手順と、を備えることを特徴とする。
【００１４】
この発明によれば、サブ画素を、データ線の延出する方向に２行以上配置するとともに、走査線の延出する方向に２列以上配置することで、各画素を構成した。したがって、４色以上のサブ画素で画素を構成しても、従来のようにサブ画素をストライプ状に配置した場合に比べ、走査線の延出する方向に配置されるサブ画素の数が増えるのを防止できる。そのため、スイッチング素子のレイアウトの問題が生じないうえに、データ線の線幅を狭くしたり、例えばデマルチプレクサを小型化したりする必要がないから、画素の開口率の低下を防いで、高精細な表示を実現できる。
【００１５】
本発明の電気光学装置の駆動方法では、前記複数の画素を、それぞれ、前記サブ画素を前記走査線の延出する方向に２列配置して構成し、前記第１サブ画素群書込手順および前記第２サブ画素群書込手順では、サブ画素を走査線の延出する方向に１列配置して複数の画素のそれぞれを構成した場合に比べて、２倍のデューティ比で走査信号を供給することが好ましい。
【００１６】
この発明によれば、サブ画素を２列に配置し、従来のようにサブ画素をストライプ状に配置した場合に比べて、走査信号のデューティ比を２倍にした。これは、１画素あたりの走査線本数が従来の２倍になるためである。
【００１７】
本発明の電子機器は、上述の電気光学装置を備えることを特徴とする。
【発明を実施するための最良の形態】
【００１８】
＜第１実施形態＞
図１は、本発明の第１実施形態に係る電気光学装置１の構成を示すブロック図である。
電気光学装置１は、液晶パネルＡＡと、この液晶パネルＡＡを駆動する外部駆動回路９０と、バックライト８１と、を備える。
【００１９】
液晶パネルＡＡは、複数の画素Ｐを有する表示領域Ａと、この表示領域Ａの周辺に設けられて画素Ｐを駆動する走査線駆動回路１１およびデータ線駆動回路２１と、を備える。具体的には、表示領域Ａは矩形状であり、走査線駆動回路１１は、この矩形状の表示領域Ａの１辺に沿って設けられ、データ線駆動回路２１は、走査線駆動回路１１が設けられた辺に隣接する１辺に沿って設けられる。
また、データ線駆動回路２１の近傍には、液晶パネルＡＡと外部駆動回路９０とのインターフェイスである実装部品８２が設けられている。
【００２０】
バックライト８１は、液晶パネルＡＡの裏面に設けられ、例えば、冷陰極蛍光管（ＣＣＦＬ）やＬＥＤ（発光ダイオード）で構成されて、液晶パネルＡＡの画素Ｐに光を照射する。
【００２１】
外部駆動回路９０は、液晶パネルＡＡに電源を供給する電源回路９１と、液晶パネルＡＡに画像信号を供給する画像処理回路９２と、この画像処理回路９２や液晶パネルＡＡにクロック信号やスタート信号を出力するタイミング発生回路９３と、バックライト８１を制御するバックライト制御回路９４と、を備える。
【００２２】
電源回路９１は、駆動信号を液晶パネルＡＡに供給し、走査線駆動回路１１やデータ線駆動回路２１などを駆動する。
【００２３】
画像処理回路９２は、入力画像データに液晶パネルＡＡの光透過特性を考慮したγ補正を施した後、各色の画像データをＤ／Ａ変換して画像信号を生成し、この画像信号を液晶パネルＡＡに供給する。
【００２４】
タイミング発生回路９３は、画像処理回路９２に入力される入力画像データに同期して、クロック信号やスタート信号を生成し、液晶パネルＡＡ上の走査線駆動回路１１やデータ線駆動回路２１に供給する。さらに、タイミング発生回路９３は、各種のタイミング信号を生成して、画像処理回路９２に出力する。
【００２５】
バックライト制御回路９４は、バックライト８１に輝度を制御する制御信号を出力する。
【００２６】
以下、液晶パネルＡＡの構成について詳述する。
液晶パネルＡＡは、所定間隔おきに交互に設けられた複数の走査線１０およびコモン線３０と、所定間隔おきに設けられて走査線１０およびコモン線３０に交差する複数のデータ線２０と、を備える。画素Ｐは、４つのサブ画素５０で構成され、これらサブ画素５０は、各走査線１０および各コモン線３０と各データ線２０との交差部に設けられる。
【００２７】
図２は、画素Ｐを構成するサブ画素５０の配置を示す図である。
画素Ｐに対して、サブ画素５０は、データ線２０の延出する方向（図２中左右方向）に２行、走査線１０の延出する方向（図２中上下方向）に２列配置されている。
画素Ｐは、それぞれ、互いに異なる単一色を表示する複数のサブ画素５０で構成される。具体的には、画素Ｐは、それぞれ、赤（Ｒ）、緑（Ｇ）、青（Ｂ）、その他の色（Ｏｔｈｅｒ）を表示するサブ画素５０で構成され、図２中左上側には、赤（Ｒ）のサブ画素５０、図２中右上側には、緑（Ｇ）のサブ画素５０、図２中左下側には、青（Ｂ）のサブ画素５０、右下側には、シアンや白などの他色（Ｏｔｈｅｒ）のサブ画素５０が配置される。
【００２８】
図１に戻って、サブ画素５０は、低温ポリシリコンＴＦＴからなるスイッチング素子としての画素トランジスタ５１、画素電極５５、この画素電極５５に対向する共通電極５６、および、一端が画素電極５５に電気的に接続され他端がコモン線３０に電気的に接続された蓄積容量５３で構成される。
【００２９】
画素トランジスタ５１のゲート電極には、走査線１０が接続され、画素トランジスタ５１のソース電極には、データ線２０が接続され、画素トランジスタ５１のドレイン電極には、画素電極５５および蓄積容量５３が接続されている。画素電極５５と共通電極５６との間には、液晶が挟持される。したがって、この画素トランジスタ５１は、走査線１０から選択電圧が印加されると、データ線２０と画素電極５５および蓄積容量５３とを導通状態とする。
【００３０】
走査線駆動回路１１は、画素トランジスタ５１を導通状態にする選択電圧を各走査線１０に線順次で供給する。例えば、ある走査線１０に選択電圧が供給されると、この走査線１０に接続された画素トランジスタ５１が全て導通状態になり、この走査線１０に係るサブ画素５０が全て選択される。
データ線駆動回路２１は、画像信号を各データ線２０に供給し、オン状態の画素トランジスタ５１を介して、サブ画素５０の画素電極５５に画像データを順次書き込む。具体的には、データ線駆動回路２１は、画素Ｐの列に対応して設けられたデマルチプレクサとしてのデマルチプレクサ単位回路Ｍを備え、各デマルチプレクサ単位回路Ｍは、一対のトランスファゲート２１１、２１２を含んで構成される。デマルチプレクサ単位回路Ｍは、実装部品８２を介して外部駆動回路９０から供給される時分割信号を、トランスファゲート２１１、２１２を開閉することにより、対応する画素Ｐのデータ線２０に振り分ける。
【００３１】
以上の電気光学装置１は、以下のように動作する。
すなわち、走査線駆動回路１１から選択電圧を線順次で供給することで、ある走査線１０に係るサブ画素５０を全て選択する。そして、これらサブ画素５０の選択に同期して、データ線駆動回路２１からデータ線２０に画像信号を供給する。これにより、走査線駆動回路１１およびデータ線駆動回路２１で選択した全てのサブ画素５０に、データ線２０から画素トランジスタ５１を介して画像信号が供給されて、画像データが画素電極５５に書き込まれる。
【００３２】
サブ画素５０の画素電極５５に画像データが書き込まれると、この画素電極５５と共通電極５６との電位差により、液晶に駆動電圧が印加される。したがって、画像信号の電圧レベルを変化させることで、液晶の配向や秩序を変化させて、各サブ画素５０の光変調による階調表示を行う。
なお、液晶に印加される駆動電圧は、蓄積容量５３により、画像データが書き込まれる期間よりも３桁も長い期間に亘って保持される。
【００３３】
図３は、画素Ｐおよびこの画素Ｐに対応するデマルチプレクサ単位回路Ｍの回路図である。
ここで、図３中上側の走査線１０を１０Ａとし、下側の走査線１０を１０Ｂとする。走査線１０Ａ、１０Ｂには、走査信号ＧＡＴＥが供給される。また、図３中左側のデータ線２０をデータ線２０Ａとし、右側のデータ線２０をデータ線２０Ｂとする。コモン線３０には、駆動信号ＶＣＯＭが供給される。
【００３４】
デマルチプレクサ単位回路Ｍは、１入力２出力の１：２デマルチプレクサであり、１つの入力端子ＳＥＧに対して２つの出力端子Ｓ１、Ｓ２を有し、２つの出力端子Ｓ１、Ｓ２の中から選択された出力端子を入力端子ＳＥＧに接続することにより、時分割信号として供給される画像信号をデータ線２０Ａ、２０Ｂに振り分ける。
【００３５】
デマルチプレクサ単位回路Ｍは、相補型トランジスタであるＣＭＯＳで構成された第１、第２のトランスファゲート２１１、２１２を有する。具体的には、第１、第２のトランスファゲート２１１、２１２の一方の端子は、入力端子ＳＥＧに接続され、他方の端子は、それぞれ、出力端子Ｓ１、Ｓ２に接続されている。
出力端子Ｓ１は、赤（Ｒ）、青（Ｂ）のサブ画素５０に係るデータ線２０Ａに接続される。出力端子Ｓ２は、緑（Ｇ）、他色（Ｏｔｈｅｒ）のサブ画素５０に係るデータ線２０Ｂに接続される。
【００３６】
第１のトランスファゲート２１１の制御端子には、選択信号ＳＥＬ１、ＳＥＬ１Ｂが入力される。選択信号ＳＥＬ１Ｂは、選択信号ＳＥＬ１が反転されたものである。
選択信号ＳＥＬ１、ＳＥＬ１Ｂがアクティブになると、トランスファゲート２１１がオン状態となり、入力端子ＳＥＧから入力された画像信号をデータ線２０Ａに供給する。
【００３７】
第２のトランスファゲート２１２の制御端子には、選択信号ＳＥＬ２、ＳＥＬ２Ｂが入力される。選択信号ＳＥＬ２Ｂは、選択信号ＳＥＬ２が反転されたものである。
選択信号ＳＥＬ２、ＳＥＬ２Ｂがアクティブになると、トランスファゲート２１２がオン状態となり、入力端子ＳＥＧから入力された画像信号をデータ線２０Ｂに供給する。
【００３８】
入力端子ＳＥＧには、赤（Ｒ）、緑（Ｇ）、青（Ｂ）、他色（Ｏｔｈｅｒ）の各色の画像データの多重信号が入力される。
【００３９】
以上のデマルチプレクサ単位回路Ｍは、以下のように動作する。
ＳＥＧに画像信号を供給するとともに、選択信号ＳＥＬ１、ＳＥＬ１Ｂ、あるいは、選択信号ＳＥＬ２、ＳＥＬ２Ｂをアクティブにする。これにより、赤（Ｒ）および青（Ｂ）のサブ画素５０に係るデータ線２０Ａ、あるいは、緑（Ｇ）および他色（Ｏｔｈｅｒ）に係るデータ線２０Ｂを選択し、この選択したデータ線２０に画像信号を供給できる。
【００４０】
次に、電気光学装置１の動作について説明する。
図４は、電気光学装置１のタイミングチャートである。
ＶＳＰはスタート信号、ＶＣＫはクロック信号であり、これらＶＳＰおよびＶＣＫは、タイミング発生回路９３により生成されて、液晶パネルＡＡに供給される。
ＶＥＮＢは、電源回路９１からの駆動信号であり、このＶＥＮＢがＬレベルのとき、走査線駆動回路１１は、走査線に供給される走査信号ＧＡＴＥ１〜６４０を選択可能となる。
ＶＤＩＲは、走査方向を指定する信号である。このＶＤＩＲは、本実施形態では、常時Ｈレベルであり、図１中左側から右側に向かって走査する。
ＶＣＯＭは、上述のように、コモン線３０に供給される駆動信号である。本実施形態では、１ラインごとに共通電極の電位を反転するライン反転駆動方式が採用されており、ＶＣＯＭは、１ラインごとに反転する。
ＧＡＴＥは、上述のように、走査線１０に供給される走査信号である。本実施形態では、走査線１０の本数は１２８０本であり、ＧＡＴＥ１Ａは、最上段の走査線１０Ａに供給される走査信号であり、ＧＡＴＥ１Ｂは、最上段の１つ下の段の走査線１０Ｂに供給される走査信号である。また、ＧＡＴＥ６４０Ｂは、最下段の走査線１０Ｂに供給される走査信号である。走査信号ＧＡＴＥは、サブ画素を走査線の延出する方向に１列配置して複数の画素のそれぞれを構成した場合に比べて、２倍のデューティ比、すなわち１２０Ｈｚで供給されている。
ＤＡＴＡは、データ線駆動回路２１に供給される時分割の画像信号である。
【００４１】
ＶＣＯＭがＬレベルの状態で、時刻ｔ１からｔ２の間、走査信号ＧＡＴＥ１ＡがＨレベルになり、最上段の走査線１０Ａに係る第１サブ画素群としての赤（Ｒ）および緑（Ｇ）のサブ画素５０が選択される。
また、これらサブ画素５０の選択に同期して、ＤＡＴＡとして、赤（Ｒ）および緑（Ｇ）の画像データが連続してデマルチプレクサ単位回路Ｍに供給される。赤（Ｒ）の画像データが供給されている間は、選択信号ＳＥＬ１、ＳＥＬ１Ｂがアクティブであり、選択信号ＳＥＬ２、ＳＥＬ２Ｂは非アクティブである。また、緑（Ｇ）の画像データが供給されている間は、選択信号ＳＥＬ１、ＳＥＬ１Ｂが非アクティブであり、選択信号ＳＥＬ２、ＳＥＬ２Ｂはアクティブである。
これにより、赤（Ｒ）の画像データが、データ線２０Ａを介して、最上段の走査線１０Ａに係る赤（Ｒ）のサブ画素５０に供給され、緑（Ｇ）の画像データが、データ線２０Ｂを介して、最上段の走査線１０Ａに係る緑（Ｇ）のサブ画素５０に供給される。
【００４２】
続いて、ＶＣＯＭが反転されて、ＬレベルからＨレベルとなる。この状態で、時刻ｔ３からｔ４の間、走査信号ＧＡＴＥ１ＢがＨレベルになり、最上段の１つ下の段に係る第２サブ画素群としての青（Ｂ）および他色（Ｏｔｈｅｒ）のサブ画素５０が選択される。
また、これらサブ画素５０の選択に同期して、ＤＡＴＡとして、青（Ｂ）および他色（Ｏｔｈｅｒ）の画像データが連続してデマルチプレクサ単位回路Ｍに供給される。青（Ｂ）の画像データが供給されている間は、選択信号ＳＥＬ１、ＳＥＬ１Ｂがアクティブであり、選択信号ＳＥＬ２、ＳＥＬ２Ｂは非アクティブである。また、他色（Ｏｔｈｅｒ）の画像データが供給されている間は、選択信号ＳＥＬ１、ＳＥＬ１Ｂが非アクティブであり、選択信号ＳＥＬ２、ＳＥＬ２Ｂはアクティブである。
これにより、青（Ｂ）の画像データが、データ線２０Ａを介して、走査信号ＧＡＴＥ１Ｂに係る青（Ｂ）のサブ画素５０に供給され、他色（Ｏｔｈｅｒ）の画像データが、データ線２０Ｂを介して、走査信号ＧＡＴＥ１Ｂに係る他色（Ｏｔｈｅｒ）のサブ画素５０に供給される。
【００４３】
本実施形態によれば、以下のような効果がある。
（１）サブ画素５０をデータ線２０の延出する方向に２行配置するとともに、走査線１０の延出する方向に２列以上配置して、各画素Ｐを構成した。したがって、４色以上のサブ画素５０で画素Ｐを構成しても、従来のようにサブ画素をストライプ状に配置した場合に比べ、走査線１０の延出する方向に配置されるサブ画素５０の数が増えるのを防止できる。そのため、画素トランジスタ５１のレイアウトの問題が生じないうえに、データ線２０の線幅を狭くしたり、デマルチプレクサ単位回路Ｍをさらに小型化したりする必要がないから、画素Ｐの開口率の低下を防いで、高精細な表示を実現できる。
【００４４】
＜第２実施形態＞
図５は、本発明の第２実施形態に係る電気光学装置１Ａにおける画素Ｐおよびこの画素Ｐに対応するデマルチプレクサ単位回路ＭＡの回路図である。
本実施形態では、デマルチプレクサ単位回路ＭＡの構成が第１実施形態と異なる。その他の構成は第１実施形態と同様である。
すなわち、デマルチプレクサ単位回路ＭＡは、１入力４出力の１：４デマルチプレクサであり、ＣＭＯＳで構成された４つの第１〜第４のトランスファゲート２１１Ａ、２１２Ａ、２１３Ａ、２１４Ａを有する。具体的には、デマルチプレクサ単位回路Ｍにおいて、第１、第２のトランスファゲート２１１Ａ、２１２Ａの一方の端子は、入力端子ＳＥＧに接続され、他方の端子は、出力端子Ｓ１に接続されている。また、第３、第４のトランスファゲート２１３Ａ、２１４Ａの一方の端子は、入力端子ＳＥＧに接続され、他方の端子は、出力端子Ｓ２に接続されている。
【００４５】
第１のトランスファゲート２１１Ａの制御端子には、選択信号ＳＥＬ１、ＳＥＬ１Ｂが入力される。選択信号ＳＥＬ１Ｂは、選択信号ＳＥＬ１が反転されたものである。
選択信号ＳＥＬ１、ＳＥＬ１Ｂがアクティブになると、トランスファゲート２１１Ａがオン状態となり、入力端子ＳＥＧから入力された画像信号をデータ線２０Ａに供給する。
【００４６】
第２のトランスファゲート２１２Ａの制御端子には、選択信号ＳＥＬ２、ＳＥＬ２Ｂが入力される。選択信号ＳＥＬ２Ｂは、選択信号ＳＥＬ２が反転されたものである。
選択信号ＳＥＬ２、ＳＥＬ２Ｂがアクティブになると、トランスファゲート２１２Ａがオン状態となり、入力端子ＳＥＧから入力された画像信号をデータ線２０Ａに供給する。
【００４７】
第３のトランスファゲート２１３Ａの制御端子には、選択信号ＳＥＬ３、ＳＥＬ３Ｂが入力される。選択信号ＳＥＬ３Ｂは、選択信号ＳＥＬ３が反転されたものである。
選択信号ＳＥＬ３、ＳＥＬ３Ｂがアクティブになると、トランスファゲート２１３Ａがオン状態となり、入力端子ＳＥＧから入力された画像信号をデータ線２０Ｂに供給する。
【００４８】
第４のトランスファゲート２１４Ａの制御端子には、選択信号ＳＥＬ４、ＳＥＬ４Ｂが入力される。選択信号ＳＥＬ４Ｂは、選択信号ＳＥＬ４が反転されたものである。
選択信号ＳＥＬ４、ＳＥＬ４Ｂがアクティブになると、トランスファゲート２１４Ａがオン状態となり、入力端子ＳＥＧから入力された画像信号をデータ線２０Ｂに供給する。
【００４９】
以上のデマルチプレクサ単位回路ＭＡは、以下のように動作する。
ＳＥＧに画像信号を供給するとともに、選択信号ＳＥＬ１、ＳＥＬ１Ｂ、あるいは、選択信号ＳＥＬ２、ＳＥＬ２Ｂをアクティブにする。これにより、赤（Ｒ）および青（Ｂ）のサブ画素５０に係るデータ線２０Ａに画像信号を供給できる。また、選択信号ＳＥＬ３、ＳＥＬ３Ｂ、あるいは、選択信号ＳＥＬ４、ＳＥＬ４Ｂをアクティブにする。これにより、緑（Ｇ）および他色（Ｏｔｈｅｒ）のサブ画素５０に係るデータ線２０Ｂに画像信号を供給できる。
【００５０】
本実施形態によれば、上述の（１）と同様の効果がある。
【００５１】
＜第３実施形態＞
図６は、本発明の第３実施形態に係る電気光学装置１Ｂにおける画素Ｐおよびこの画素Ｐに対応するデマルチプレクサ単位回路ＭＢの回路図である。
本実施形態では、デマルチプレクサ単位回路ＭＢの構成が第１実施形態と異なる。その他の構成は第１実施形態と同様である。
すなわち、デマルチプレクサ単位回路ＭＢは、１入力４出力の１：４デマルチプレクサであり、ＣＭＯＳで構成された第１、第２のトランスファゲート２１１Ｂ、２１２Ｂと、オア回路２１５、２１６、２１７、２１８と、を有する。
【００５２】
具体的には、オア回路２１５には、選択信号ＳＥＬ１、ＳＥＬ２が入力される。オア回路２１５は、選択信号ＳＥＬ１、ＳＥＬ２のうち少なくとも一方がＨレベルになると、Ｈレベルの信号を出力する。
【００５３】
オア回路２１６には、選択信号ＳＥＬ１Ｂ、ＳＥＬ２Ｂが入力される。選択信号ＳＥＬ１Ｂ、ＳＥＬ２Ｂは、選択信号ＳＥＬ１、ＳＥＬ２がそれぞれ反転されたものである。オア回路２１６は、選択信号ＳＥＬ１Ｂ、ＳＥＬ２Ｂのうち少なくとも一方がＨレベルになると、Ｈレベルの信号を出力する。
【００５４】
オア回路２１７には、選択信号ＳＥＬ３、ＳＥＬ４が入力される。オア回路２１７は、選択信号ＳＥＬ３、ＳＥＬ４のうち少なくとも一方がＨレベルになると、Ｈレベルの信号を出力する。
【００５５】
オア回路２１８には、選択信号ＳＥＬ３Ｂ、ＳＥＬ４Ｂが入力される。選択信号ＳＥＬ３Ｂ、ＳＥＬ４Ｂは、選択信号ＳＥＬ３、ＳＥＬ４がそれぞれ反転されたものである。オア回路２１８は、選択信号ＳＥＬ３Ｂ、ＳＥＬ４Ｂのうち少なくとも一方がＨレベルになると、Ｈレベルの信号を出力する。
【００５６】
第１、第２のトランスファゲート２１１Ｂ、２１２Ｂの一方の端子は、入力端子ＳＥＧに接続され、他方の端子は、それぞれ、出力端子Ｓ１、Ｓ２に接続されている。
【００５７】
第１のトランスファゲート２１１Ｂの制御端子は、それぞれ、オア回路２１５の出力端およびオア回路２１６の出力端に接続される。選択信号ＳＥＬ１、ＳＥＬ１Ｂまたは選択信号ＳＥＬ２、ＳＥＬ２Ｂがアクティブになると、トランスファゲート２１１Ｂがオン状態となり、入力端子ＳＥＧから入力された画像信号をデータ線２０Ａに供給する。
【００５８】
第２のトランスファゲート２１２Ｂの制御端子は、それぞれ、オア回路２１７の出力端およびオア回路２１８の出力端に接続される。選択信号ＳＥＬ３、ＳＥＬ３Ｂまたは選択信号ＳＥＬ４、ＳＥＬ４Ｂがアクティブになると、トランスファゲート２１２Ｂがオン状態となり、入力端子ＳＥＧから入力された画像信号をデータ線２０Ｂに供給する。
【００５９】
以上のデマルチプレクサ単位回路ＭＡは、以下のように動作する。
ＳＥＧに画像信号を供給するとともに、選択信号ＳＥＬ１、ＳＥＬ１Ｂ、あるいは、選択信号ＳＥＬ２、ＳＥＬ２Ｂをアクティブにする。これにより、赤（Ｒ）および青（Ｂ）のサブ画素５０に係るデータ線２０Ａに画像信号を供給できる。また、選択信号ＳＥＬ３、ＳＥＬ３Ｂ、あるいは、選択信号ＳＥＬ４、ＳＥＬ４Ｂをアクティブにする。これにより、緑（Ｇ）および他色（Ｏｔｈｅｒ）のサブ画素５０に係るデータ線２０Ｂに画像信号を供給できる。
【００６０】
本実施形態によれば、上述の（１）と同様の効果がある。
【００６１】
＜変形例＞
なお、本発明は前記実施形態に限定されるものではなく、本発明の目的を達成できる範囲での変形、改良等は本発明に含まれるものである。
例えば、上述した各実施形態では、走査線駆動回路１１を矩形状の表示領域Ａの１辺に沿って設けたが、これに限らず、図７に示すように、走査線駆動回路１１Ｄを矩形状の表示領域Ａの対向する２辺に沿って設けてもよい。
すなわち、走査線駆動回路１１Ｄは、図７中右側に配置されて奇数段の走査線１０を駆動する第１走査線駆動回路１１１と、図７中左側に配置されて偶数段の走査線１０を駆動する第２走査線駆動回路１１２と、を備える。
このようにすれば、走査線駆動回路１１Ｄを２つに分割したので、第１走査線駆動回路１１１と第２走査線駆動回路１１２とを交互に駆動して走査線１０を選択すればよいから、走査線駆動回路にかかる負担を軽減できる。
【００６２】
また、上述した各実施形態では、画素Ｐを４色のサブ画素５０で構成したが、これに限らず、６色、あるいは、８色以上のサブ画素で構成してもよい。
例えば、サブ画素を２行３列に配置して６色で１つの画素を構成した場合には、１入力３出力の１：３デマルチプレクサを用いて、走査信号を通常の２倍のデューティ比で供給する。
また、例えば、画素を３行２列に配置して６色で１つの画素を構成した場合には、１入力２出力の１：２デマルチプレクサあるいは１入力４出力の１：４デマルチプレクサを用いて、走査信号を通常の３倍のデューティ比で供給する。
【００６３】
また、上述した各実施形態では、画素トランジスタ５１として、低温ポリシリコンＴＦＴを用いたが、これに限らず、アモルファスシリコンＴＦＴを用いてもよい。
例えば、上述した各実施形態では、電気光学装置１、１Ａ、１Ｂを全反射型の表示を行う構成としたが、これに限らず、透過型の表示を行う構成としてもよいし、透過および反射兼用の半透過反射型の表示を行う構成としてもよい。
【００６４】
また、上述した各実施形態では、本発明を電気光学物質として液晶を用いた電気光学装置１、１Ａ、１Ｂに適用したが、これに限らず、液晶以外の電気光学物質を用いた電気光学装置にも適用できる。例えば、有機ＬＥＤ素子を用いた有機ＥＬディスプレイ（ＯＬＥＤ）パネル、着色された液体とこの液体に分散された白色の粒子とを含むマイクロカプセルを電気光学物質として用いた電気泳動表示パネル、極性が相違する領域毎に異なる色に塗り分けられたツイストボールを電気光学物質として用いたツイストボールディスプレイパネル、黒色トナーを電気光学物質として用いたトナーディスプレイパネル、あるいは、ヘリウムやネオン等の高圧ガスを電気光学物資として用いたプラズマディスプレイパネルなど各種の電気光学装置に対しても、同様に本発明が適用され得る。
【００６５】
また、本実施形態における液晶としては、ＴＮ（Twisted  Nematic）液晶や負の誘電率を用いた液晶を用いてもよい。また、液晶の表示モードとしては、ＩＰＳ（In-Plane  Switching）やＦＦＳ（Fringe-Field  Switching）などでもよい。
【００６６】
また、上述した各実施形態では、各サブ画素５０は、それぞれ着色領域を有しており、４色のサブ画素５０で画素Ｐを構成する。
４色の着色領域は、波長に応じて色相が変化する可視光領域（３８０−７８０ｎｍ）のうち、青系の色相の着色領域と、赤系の色相の着色領域と、青から黄までの色相の中で選択された２種の色相の着色領域からなる。
ここで系と用いているが、例えば青系であれば純粋に青の色相に限定されるものでなく、青紫や青緑などを含むものである。赤系の色相であれば、赤に限定されるものでなく橙を含む。また、これら着色領域は単一の着色層で構成されても良いし、複数の異なる色相の着色層を重ねて構成されてもよい。また、これら着色領域を色相で述べたが、当該色相は、彩度、明度を適宜変更して色を設定し得るものである。
【００６７】
すなわち、上述した各実施形態における赤（Ｒ）、青（Ｂ）、緑（Ｇ）、および他色（Ｏｔｈｅｒ）のサブ画素５０は、例えば、赤系の色相の着色領域（Ｒ）、青系の色相の着色領域（Ｂ）、および、青から黄までの色相の中で選択された２種の色相の着色領域（ＧおよびＯｔｈｅｒ）である。
【００６８】
具体的な色相の範囲は、青系の色相の着色領域は、青紫から青緑であり、より好ましくは藍から青である。赤系の色相の着色領域は、橙から赤である。青から黄までの色相で選択される一方の着色領域は、青から緑であり、より好ましくは青緑から緑である。青から黄までの色相で選択される他方の着色領域は、緑から橙であり、より好ましくは緑から黄、もしくは緑から黄緑である。
ここで、各着色領域は、同じ色相を用いることはない。例えば、青から黄までの色相で選択される２つの着色領域で緑系の色相を用いる場合は、他方は一方の緑に対して青系もしくは黄緑系の色相を用いる。
これにより、従来のＲＧＢの着色領域よりも広範囲の色再現性を実現することができる。
【００６９】
他の具体的な例として、以下に、着色領域を透過する波長で表現する。
青系の着色領域は、波長のピークが４１５〜５００ｎｍにある着色領域、好ましくは、４３５〜４８５ｎｍにある着色領域である。赤系の着色領域は、波長のピークが６００ｎｍ以上にある着色領域で、好ましくは、６０５ｎｍ以上にある着色領域である。青から黄までの色相で選択される一方の着色領域は、波長のピークが４８５〜５３５ｎｍにある着色領域で、好ましくは、４９５〜５２０ｎｍにある着色領域である。青から黄までの色相で選択される他方の着色領域は、波長のピークが５００〜５９０ｎｍにある着色領域、好ましくは、５１０〜５８５ｎｍにある着色領域、もしくは５３０〜５６５ｎｍにある着色領域である。
以上の波長は、透過型表示の場合は、照明装置からの照明光がカラーフィルタを通して得られた数値である。反射型表示の場合は、外光を反射して得られた数値である。
【００７０】
他の具体的な例として、以下に、ｘ、ｙ色度図で表現する。
青系の着色領域は、ｘ≦０．１５１、ｙ≦０．２００にある着色領域であり、好ましくは、０．１３４≦ｘ≦０．１５１、０．０３４≦ｙ≦０．２にある着色領域である。赤系の着色領域は、０．５２０≦ｘ、ｙ≦０．３６０にある着色領域であり、好ましくは、０．５５０≦ｘ≦０．６９０、０．２１０≦ｙ≦０．３６０にある着色領域である。青から黄までの色相で選択される一方の着色領域は、ｘ≦０．２００、０．２１０≦ｙにある着色領域であり、好ましくは、０．０８０≦ｘ≦０．２００、０．２１０≦ｙ≦０．７５９にある着色領域である。青から黄までの色相で選択される他方の着色領域は、０．２５７≦ｘ、０．４５０≦ｙにある着色領域であり、好ましくは、０．２５７≦ｘ≦０．５２０、０．４５０≦ｙ≦０．７２０にある着色領域である。
以上のｘ、ｙ色度図は、透過型表示の場合は、照明装置からの照明光がカラーフィルタを通して得られた数値である。反射型表示の場合は、外光を反射して得られた数値である。
【００７１】
これら４色の着色領域は、サブ画素に透過領域と反射領域を備えた場合、透過領域および反射領域も上述した範囲で適用することができるものである。
【００７２】
バックライト８１としては、ＲＧＢ光源としてのＬＥＤ、蛍光管、有機ＥＬを用いてもよいし、白色光源を用いてもよい。
白色光源は、青の発光体とＹＡＧ蛍光体とにより生成されてもよい。
ＲＧＢ光源は、以下のような構成が好ましい。Ｂは、発光した光の波長のピークが４３５ｎｍ〜４８５ｎｍにある。Ｇは、発光した光のピークが５２０ｎｍ〜５４５ｎｍにある。Ｒは、発光した光のピークが６１０ｎｍ〜６５０ｎｍにある。そして、ＲＧＢ光源の波長によって、上述したカラーフィルタを適切に選定すれば、より広範囲の色再現性を得ることができる。
また、波長のピークが、例えば、４５０ｎｍと５６５ｎｍとにあるような、複数のピークを有する光源を用いてもよい。
【００７３】
上記４色の着色領域の構成の例として、以下のものが挙げられる。
色相が、赤、青、緑、シアン（青緑）の着色領域。
色相が、赤、青、緑、黄の着色領域。
色相が、赤、青、深緑、黄の着色領域。
色相が、赤、青、エメラルド、黄の着色領域。
色相が、赤、青、深緑、黄緑の着色領域。
色相が、赤、青緑、深緑、黄緑の着色領域。
【００７４】
＜応用例＞
次に、上述した実施形態に係る電気光学装置１、１Ａ、１Ｂを適用した電子機器について説明する。
図８は、電気光学装置１、１Ａ、１Ｂを適用した携帯電話機の構成を示す斜視図である。携帯電話機３０００は、複数の操作ボタン３００１およびスクロールボタン３００２、ならびに電気光学装置１、１Ａ、１Ｂを備える。スクロールボタン３００２を操作することによって、電気光学装置１、１Ａ、１Ｂに表示される画面がスクロールされる。
【００７５】
なお、電気光学装置１、１Ａ、１Ｂが適用される電子機器としては、図８に示すものの他、パーソナルコンピュータ、情報携帯端末、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器などが挙げられる。そして、これらの各種電子機器の表示部として、前述した電気光学装置が適用可能である。
【図面の簡単な説明】
【００７６】
【図１】本発明の第１実施形態に係る電気光学装置の構成を示すブロック図である。
【図２】前記電気光学装置における画素を構成するサブ画素の配置を示す図である。
【図３】前記画素およびこの画素に対応するデマルチプレクサ単位回路の回路図である。
【図４】前記電気光学装置のタイミングチャートである。
【図５】本発明の第２実施形態に係る電気光学装置における画素およびこの画素に対応するデマルチプレクサ単位回路の回路図である。
【図６】本発明の第３実施形態に係る電気光学装置における画素およびこの画素に対応するデマルチプレクサ単位回路の回路図である。
【図７】本発明の変形例に係る電気光学装置の液晶パネルの構成を示すブロック図である。
【図８】上述した電気光学装置を適用した携帯電話機の構成を示す斜視図である。
【符号の説明】
【００７７】
１、１Ａ、１Ｂ…電気光学装置、１０…走査線、２０…データ線、２１…データ線駆動回路、５０…サブ画素、５１…画素トランジスタ（スイッチング素子）、５５…画素電極、Ａ…表示領域、Ｐ…画素、Ｍ、ＭＡ、ＭＢ…デマルチプレクサ単位回路（デマルチプレクサ）、Ｓ１…出力端子、Ｓ２…出力端子、ＳＥＧ…入力端子。
【図１】
2007206392.tif 000003
【図２】
2007206392.tif 000004
【図３】
2007206392.tif 000005
【図４】
2007206392.tif 000006
【図５】
2007206392.tif 000007
【図６】
2007206392.tif 000008
【図７】
2007206392.tif 000009
【図８】
2007206392.tif 000010